(57)【特許請求の範囲】
【請求項１】
蓋ヒーターカバー６と胴体３に設けられたフック７に係合させ得るスライドフック８とを蓋体１に備えた炊飯器において、蓋ヒーターカバー６の片側周縁部を前記蓋体１に係止し、その反対側は前記スライドフック８を保持するスライドフックカバー８ｂで押えて固定したことを特徴とする炊飯器。
【請求項２】
蓋ヒーターカバー６の片側周縁部に係止爪６ａを形成し、この係止爪６ａを蓋体１の内側に形成した蓋リング１ａの孔１ｂに係入したことを特徴とする請求項１記載の炊飯器。
【請求項３】
蓋ヒーターカバー６の反対側周縁部に挿入爪６ｂを形成し、この挿入爪６ｂをスライドフックカバー８ｂの裏側に挿入し、蓋体１に固定されたスライドフックカバー８ｂの内面で押え付けることを特徴とする請求項１または２記載の炊飯器。
【発明の詳細な説明】
【０００１】
【発明の属する技術分野】
本発明は、蓋ヒーターカバーと胴体に設けられたフックに係合させ得るスライドフックとが蓋体に備えられている炊飯器に関し、さらに詳しくは、蓋ヒーターカバーの取付構造に関するものである。
【０００２】
【従来の技術】
従来、炊飯器の蓋ヒーターカバーを蓋体の内側に取り付けるに当っては、蓋ヒーターカバーの周縁部に複数本の爪を突設し、それらを蓋体の内側に形成されている蓋リングの孔に差し込んだ上で折り曲げて固定していた（例えば、特開平８−４５０号公報参照）。
【０００３】
【発明が解決しようとする課題】
しかしながら、この方式を採った場合には、蓋リングに蓋ヒーターカバーの爪を挿入するための孔を多数形成する必要があるため、その金型費が高く付き、しかも、複数本の爪をいちいち折り曲げなければならないから、それだけ作業工程が増え、結果的にコスト高となってしまうという欠点がある。
本発明は、これらのコストを抑えることを目的として開発されたものである。
【０００４】
【課題を解決するための手段】
上記目的を達成するため、本発明では、蓋ヒーターカバー６の片側周縁部を蓋体１に係止し、その反対側はスライドフック８を保持するスライドフックカバー８ｂで押えて固定する。
この方式を採った場合には、必要最小限の係止部が蓋ヒーターカバー６の周縁部に形成されておればよく、また、蓋体１の蓋リング１ａに設けるべき孔、即ち、前記係止部を挿入するための孔も必要最小限の数で済むから、その金型費を安く抑えることができる。しかも、従来行われていた爪の折曲作業は不要であるから、作業工程を減らすことができる。
【０００５】
蓋ヒーターカバー８ｂの片側周縁部に係止爪６ａを形成し、この係止爪６ａを蓋体１の内側に形成した蓋リング１ａの孔１ｂに係入するようにするとよい。
このようにすると、従来行われていた爪の折曲作業をすることなく蓋ヒーターカバー８ｂの片側を蓋体１に簡単に保持させることができる。
【０００６】
蓋ヒーターカバー８ｂの反対側周縁部に挿入爪６ｂを形成し、この挿入爪６ｂをスライドフックカバー８ｂの裏側に挿入し、蓋体１に固定されたスライドフックカバー８ｂの内面で押え付けるようにするとよい。
このようにすると、従来行われていた爪の折曲作業をすることなく蓋ヒーターカバー６の両側を蓋体１に簡単かつ安定して保持させることができる。
【０００７】
【発明の実施の形態】
本発明の最も好ましい実施の形態を、図１〜図１５に基いて説明する。
図１に示す炊飯器は、蓋体１をヒンジピン２により胴体３に開閉自在に装着するとともに、前記ヒンジピン２にヒンジスプリング４を巻着し、このヒンジスプリング４により前記蓋体１を胴体３に対して常に開く方向に付勢せしめた形式のものである。
【０００８】
蓋体１の裏面（内面）中央には、図２、図４、図５及び図７に示すように、垂直なリング状の壁からなる蓋リング１ａが形成されており、ネジ５によりその内側に添うごとく蓋ヒーターカバー６が取り付けられる。
この蓋ヒーターカバー６の片側（蓋体１の枢着部側）周縁部には、図３に示すように、２つの係止爪６ａ，６ａが突出するごとく形成されている。一方、前記蓋リング１ａには、図４に示すように、両係止爪６ａ，６ａをそれぞれ挿入するための孔１ｂ，１ｂが形成されている。そして、図２に示すように、蓋ヒーターカバー６の両係止爪６ａ，６ａを蓋体１の内面に形成されている蓋リング１ａの孔１ｂ，１ｂに単に挿入するだけでその片側を保持することができる。
【０００９】
蓋体１の枢着部側と反対側である蓋体１の前側には、図２、図５に示すように、胴体３の前側に設けたフック７（図１、図６に現れている）に係合させ得るスライドフック８が配置されている。このスライドフック８は、図５及び図６に示すように、スライドフックスプリング８ａにより常に後方へ付勢するようにスライドフックカバー８ｂで保持されている。スライドフック８の先端は、図２及び図５に示すように、蓋体１の前側に形成された挿入孔１ｃを経て蓋体１の外側に突出している。
【００１０】
一方、蓋ヒーターカバー６の反対側は、このスライドフックカバー８ｂで保持されている。例えば、図３に示すように、蓋ヒーターカバー６の反対側の周縁部に２つの挿入爪６ｂ，６ｂを形成し、両挿入爪６ｂ，６ｂを図２及び図５に示すように、蓋体１の内側に取り付けたスライドフックカバー８ｂの裏側に差し込むとともに、それらをスライドフックカバー８ｂで押え付けることによって、蓋ヒーターカバー６の反対側を保持することができる。スライドフックカバー８ｂはネジ９により蓋体１の裏側に固定される。
【００１１】
このように、係止爪６ａに代表される係止部が蓋ヒーターカバー６の周縁部に必要最小限だけ形成され、その反対側をスライドフックカバー８ｂで押え付けて固定すれば、従来行われていた爪の折曲作業をすることなく蓋ヒーターカバー６を蓋体１に簡単かつ安定して保持させることができ、しかも、作業工程を減らすことができる。
また、この場合には、蓋リング１ａに設けるべき孔、すなわち、前記係止爪６ａを挿入するための孔１ｂも必要最小限の数で済むから、その金型費を安く抑えることができる。
【００１２】
ここには、蓋体１の枢着部の部品である前記ヒンジピン２とヒンジスプリング４とが、図２、図７、図１０及び図１１に示すように、ユニット化された部品Ａに保持させた場合が例示してあり、ユニット化されたこの部品Ａを蓋体１に取り付けることにより、蓋体１の所定位置に胴体３との枢着部を容易に形成することができる。そして、この枢着部を利用して蓋体１を簡単に胴体３に装着できる。
【００１３】
ユニット化されたこの部品Ａは、蓋体１の内側であって胴体３への装着側の一部分を覆うように取り付け得る蓋ヒンジカバー１０を有しており、この蓋ヒンジカバー１０の左右の軸受部１０ａ，１０ａ  にヒンジピン２の両端が挿入・保持され、このヒンジピン２に巻着されているヒンジスプリング４の一端４ａが蓋ヒンジカバー１０のスプリング保持筒１０ｂ  に挿入・保持せしめられている。
この蓋ヒンジカバー１０をネジ１１により蓋体１の内側であって胴体３に装着すべき側（図１では右側に現れる後側、図２では右側）の一部分を覆うように取り付けると、図２及び図７に示すように、蓋体１の内側の所定位置にユニット化された部品Ａを簡単に取り付けることができ、それによって蓋体１の所定位置に胴体３との枢着部を容易に形成することができる。
このように、蓋体と胴体との枢着部にユニット化された部品を用いると、品番・サイズが異なる場合であっても共通使用を可能ならしめることができる。また、品質の安定化、設計の簡略化、金型費用の低減、それへの投資費用の削減を図ることができる。
なお、図２及び図４において、図面符号１ｅはネジ１１ねじ込み用の孔である。
【００１４】
蓋ヒンジカバー１０には、図２及び図７に示すように、蓋体１の内側に装着される放熱板セット１２の係止爪１２ａ  を保持するための保持部１０ｃ  が備えられている。放熱板セット１２とは、胴体３に収容されている内釜１３の上端開放面を閉塞する放熱板１２ｂ  、その周囲に取り付けられている放熱板取付リング１２ｃ  、放熱板１２ｂ  と放熱板取付リング１２ｃ  とで挾まれて保持されていて前記内釜１３の周縁に接触する放熱板パッキン１２ｄ  とにより構成されており、それらがユニット化されたものである。
そして、図７に示すように、蓋体１の内側に取り付けられている蓋ヒンジカバー１０の保持部１０ｃ  に、放熱板セット１２の係止爪１２ａ  を挿入するだけでユニット化されている放熱板セット１２の片側（後側）が保持される。
【００１５】
このとき、ユニット化された放熱板セット１２の反対側（前側）は、蓋体１の前側に配置されているスライドフック８を前方に押すようになっている。すなわち、図７に示すように、放熱板セット１２の外周から突出させてある２本の突出爪１２ｅ，１２ｅ  がスライドフック８を前方に押すようになっている。
したがって、放熱板セット１２を蓋体１の内側に取り付けた状態では、スライドフック８が前方に押されて胴体１の前側に設けたフック７に係合することになり、蓋体１を閉めることができる。逆に、放熱板セット１２を取り付けない状態では、スライドフック８はフック７に係合せず、蓋体１を閉めることができない。
このような構成とすることによって、炊飯器の使い方、セットの仕方が間違っていることをユーザーに知らせることができる。
【００１６】
ユニット化されている放熱板セット１２を蓋体１の裏側に取り付けると、その一部である放熱板１２ｂ  が蓋体１の裏側に取り付けられている蓋ヒーターカバー６に接触する。なお、図７においては、放熱板セット１２を見る角度を便宜上蓋体１を見る角度と異ならしめ、放熱板セット１２に形成されている２つの係止爪１２ａ，１２ａ  が両方とも見えるようにした。
そして、ユニット化されている放熱板セット１２を蓋体１の裏側に取り付けると、胴体３との枢着部が形成された蓋セットＢとなるから、この蓋セットＢに備えられているヒンジピン２の左右両側を、胴体３の軸受凹部３ａ，３ａ（図１２参照）に嵌め込めば、放熱板セット１２を有する蓋セットＢを胴体３にきわめて簡単に装着することができる。
かくして、この放熱板セット１２の一部である放熱板１２ｂ  で内釜１３の上端開放面を閉塞し、胴体３内に収容されている内釜１３の加熱手段（図示していない）によって炊飯の調理を行うことができる。図１の図面符号１４は、蒸気通路である。
なお、放熱板セット１２を有する蓋セットＢを胴体３に装着したとき、ヒンジスプリングの他端４ｂは、図１０及び図１１に示すように、胴体３側に係止せしめられる。
【００１７】
ここに例示する場合には、図２及び図７に示すように、蓋体１の所定位置にユニット化された部品Ａをネジ１１により取り付けたとき、蓋体１の裏面（内面）に形成されている前後方向（図２の左右方向）の２本のリブ１ｄ，１ｄの内面にユニット化された部品Ａの軸受部１０ａ，１０ａ  の外端面が当接するようになっている。
したがって、両軸受部１０ａ，１０ａ  に保持されているヒンジピン２が各軸受部１０ａ，１０ａ  の外側に抜け落ちるのを２本のリブ１ｄ，１ｄで防止できる。
【００１８】
図１、図８及び図１３に示すように、蓋体１の枢着部の外側はヒンジカバー１５で覆われている。このヒンジカバー１５の両側には、胴体３の左右両側の内面に形成されている孔３ｂ，３ｂに嵌合させ得る爪１５ａ，１５ａ  が設けられている。左右の孔３ｂ，３ｂにヒンジカバー１５の左右の爪１５ａ，１５ａ  を嵌合することにより、ヒンジカバー１５で蓋体１の枢着部の外側を覆うことができる。
従来、ヒンジカバー１５の下端両側に爪１５ａ，１５ａ  が設けられ、また、胴体３の左右両側の下端内面に孔３ｂ，３ｂが形成されていた。この場合には、蓋体１から伝ってくる水滴が孔３ｂ，３ｂに侵入しやすく、胴体３の内部に水滴が侵入する事態が多発していたが、ここに例示する場合には、図８に示すように、ヒンジカバー１５の下端から少なくとも数ミリメートル上に爪１５ａ，１５ａ  を配置してある。
このようにすることによって、きわめて簡単な構造で胴体３の内部に水滴が侵入するのを防止できる。
なお、ヒンジカバー１５はその上端部に形成されている爪１５ｂ，１５ｂ  によっても胴体３に係止され、さらに、ネジ１５ｃ  により胴体３に固定される。
【００１９】
金型の構造を簡略化するため、両孔３ｂ，３ｂをスライドではなく食い切りにより形成することができる。そして、図１３において図面符号３ｃで示すように両孔３ｂ，３ｂの下側を厚肉とし、さらに、水滴が入りにくいように傾斜させておくとよい。このようにすることにより、炊飯器内部への水滴の侵入を防ぎつつ、胴体３の金型構造を簡略化することができる。
【００２０】
また、ここには、内釜１３をセットしたときそれを検知するセンサー１６を胴体３内に取り付けた場合が例示されている。このセンサー１６からは、通常、数本のリード線１９，１９がストローク方向（通常、上下方向）に延び出ている。このセンサー１６が動いても、数本のリード線１９，１９が他部品に接触しないように、従来、胴体３の下部には大きな空間を設け、正常な作動を可能ならしめようとしている。
この大きな空間があるということは、胴体３ひいては炊飯器全体がそれだけ高くなることに繋がるから、この無駄な空間を設けなくてもよいように、ここに示す場合には、センサー１６の下端にセンサーケース１７を配置し、それにケース蓋１８を被せることにより、センサー１６から延び出ている数本のリード線１９，１９を直角に折り曲げることができるようにしてある。
例えば、図１５及び図１６に示すように、センサー１６の下端に配置されているセンサーケース１７には、各リード線１９，１９を挿通させ得る複数個の保持筒１７ａ，１７ａ  が配置され、その端面には各リード線１９，１９を嵌入させ得る溝１７ｂ，１７ｂ  を形成してある。そして、センサー１６の下端から延び出している各リード線１９，１９を各溝１７ｂ，１７ｂ  に嵌め込んでそれらを直角に折り曲げる。しかる後、図１７に示すようなケース蓋１８を被せ、直角に折り曲げられている各リード線１９，１９を押え付けて保持できるようになっている。
【００２１】
ケース蓋１８の内側には保持爪１８ａ，１８ａ  が形成されており、ケース蓋１８をセンサーケース１７に被せたとき、各リード線１９，１９が挿通されている保持筒１７ａ，１７ａ  に両保持爪１８ａ，１８ａ  を係合させるとともに、センサーケース１７の１つの保持筒１７ａ  をケース蓋１８に設けられている二枚の保持板１８ｂ，１８ｂ  で挾持することができる。
かくして、ケース蓋１８がセンサーケース１７に保持され、センサー１６から延び出ている数本のリード線１９，１９をセンサーケース１７とケース蓋１８とで直角に折り曲げた状態に保持することができる。従って、従来のように、センサー１６から数本のリード線１９，１９が長く延び出ることがなく、センサーの動く方向の無駄な空間を削減することができるのみならず、製品をコンパクト化することができる。
なお、図１４〜図１６において、図面符号１６ａ  はセンサー１６の取付板である。また、図１７において、図面符号１８ｃ  は保持筒１７ａ  の溝１７ｂ  に嵌め込まれているリード線１９の溝１７ｂ  から出ている部分を嵌め込むための窪みである。
【００２２】
【発明の効果】
請求項１記載の発明によれば、必要最小限の係止部が蓋ヒーターカバー６の周縁部に形成されておればよく、また、蓋リング１ａに設けるべき孔、即ち、前記係止部を挿入するための孔も必要最小限の数で済むから、その金型費を安く抑えることができる。しかも、従来行われていた爪の折曲作業は不要であるから、作業工程を減らすことができる。
【００２３】
請求項２記載の発明によれば、従来行われていた爪の折曲作業をすることなく蓋ヒーターカバー６の片側を蓋体１に簡単に保持させることができる。
【００２４】
請求項３記載の発明によれば、従来行われていた爪の折曲作業をすることなく蓋ヒーターカバー６の両側を蓋体１に簡単かつ安定して保持させることができる。
【図面の簡単な説明】
【図１】本発明による炊飯器の一例を示す一部切断の側面図である。
【図２】蓋ヒーターカバーを取り付けた蓋体を内側から見た平面図で、一部を切り欠いて示す。
【図３】蓋ヒーターカバーのみの平面図である。
【図４】蓋体の内側の一部を示す拡大斜視図である。
【図５】蓋体の前側の一部を内側から見た拡大斜視図で、一部を分解して示す。
【図６】炊飯器の前側の一部を拡大して示す断面図である。
【図７】蓋ヒーターカバーを取り付けた蓋体に、放熱板セットを取り付ける様子を示す斜視図である。
【図８】蓋体の枢着部を示す拡大断面図で、ヒンジカバーを外した状態を示す。
【図９】ヒンジカバーのみの拡大平面図である。
【図１０】蓋体の枢着部に使用されるユニット化された部品の一例を示す斜視図である。
【図１１】蓋体の枢着部に使用されるユニット化された部品を裏側から見た図である。
【図１２】胴体側の軸受凹部を詳細に示す拡大断面図である。
【図１３】ヒンジカバーの取付状態を示す概略斜視図で、ヒンジカバーを分離して示す。
【図１４】内釜の底直下に配置されるセンサーのみの側面図である。
【図１５】図１４を底側から見た平面図で、ケース蓋を取り外した状態で示す。
【図１６】図１５の一部を拡大して示す平面図である。
【図１７】ケース蓋のみの斜視図である。
【符号の説明】
１…蓋体、１ａ…蓋リング、１ｂ…孔、２…ヒンジピン、３…胴体、４…ヒンジスプリング、６…蓋ヒーターカバー、６ａ…係止爪、６ｂ…挿入爪、７…フック、８…スライドフック、８…スライドフックスプリング、８ｂ…スライドフックカバー、１０…蓋ヒンジカバー、１０ａ  …軸受部、１２…放熱板セット、１２ｂ  …放熱板、１５…ヒンジカバー、１５ａ，１５ｂ  …爪、１６…センサー、１７…センサーケース、１７ａ  …保持筒、１８…ケース蓋、１８ａ  …保持爪、１８ｂ  …保持板、１９…リード線、Ａ…ユニット化された部品、Ｂ…蓋セット。
【図１】
0003627858.tif 000002
【図２】
0003627858.tif 000003
【図３】
0003627858.tif 000004
【図４】
0003627858.tif 000005
【図５】
0003627858.tif 000006
【図６】
0003627858.tif 000007
【図７】
0003627858.tif 000008
【図８】
0003627858.tif 000009
【図９】
0003627858.tif 000010
【図１０】
0003627858.tif 000011
【図１１】
0003627858.tif 000012
【図１２】
0003627858.tif 000013
【図１３】
0003627858.tif 000014
【図１４】
0003627858.tif 000015
【図１５】
0003627858.tif 000016
【図１６】
0003627858.tif 000017
【図１７】
0003627858.tif 000018